(57)【特許請求の範囲】
【請求項１】
帯状のプラス及びマイナスの電極箔を帯状のセパレータによって互いに絶縁状態で巻き取るための巻取装置であって、
前記セパレータを長手方向に引き出し可能な引出手段と、
回転可能に支持され、前記引出手段にて引き出された前記セパレータの長手方向中間の所定部分を捕捉した上で巻取を行うための巻取軸と、
前記プラス及びマイナスの電極箔の各端部を前記巻取軸の方へと案内するための電極箔案内手段とを備え、
前記引出手段は、少なくとも前記セパレータの巻取開始に先だって、前記セパレータの先端部分側を引き出し方向下流側への吸引によって引き出し可能な吸引機構を有しており、
該吸引機構は、引き出し方向に移動可能に構成されており、かつ、
該吸引機構は、前記巻取軸の回転による前記セパレータの巻取中においても、前記セパレータの先端部分側が引き出し方向下流側への吸引によって引っぱられるよう構成されていることを特徴とする巻取装置。
【請求項２】
前記巻取軸が、前記セパレータの引き出しに際して該引き出しを阻害しない待機状態と、前記セパレータの巻取に際して前記所定部分を捕捉する巻取可能状態とをとりうるよう構成したことを特徴とする請求項１に記載の巻取装置。
【請求項３】
請求項１又は２に記載の巻取装置において、さらに、前記セパレータが所定長巻き取られてから該セパレータを切断するためのセパレータ切断手段と、前記プラス及びマイナスの電極箔が所定長巻き取られてから該電極箔をそれぞれ切断するための電極箔切断手段とを設けたことを特徴とする巻取装置。
【請求項４】
前記引出手段は、さらに、前記セパレータの巻取開始に先だって行われる吸引に際し、該セパレータを前記吸引機構側へ繰り出すための繰り出し機構を備えていることを特徴とする請求項１乃至３のいずれかに記載の巻取装置。
【請求項５】
前記繰り出し機構は、前記セパレータを挟む位置において回転駆動可能に配設され、前記繰り出し時には接触方向に相対移動させられ、非繰り出し時には離間方向に相対移動させられるよう構成された一対のローラによって構成されていることを特徴とする請求項４に記載の巻取装置。
【請求項６】
前記巻取軸の近傍には、前記吸引機構によって吸引されている前記セパレータの幅方向の位置ずれを規制するための位置ずれ規制手段を設けたことを特徴とする請求項１乃至５のいずれかに記載の巻取装置。
【請求項７】
前記プラス及びマイナスの電極箔はアルミニウムによって構成され、かつ、両電極箔には長手方向に所定間隔を隔ててリード線が取着されていることを特徴とする請求項１乃至６のいずれかに記載のアルミニウム電解コンデンサ素子用巻取装置。
【請求項８】
請求項１乃至７のいずれかに記載の巻取装置を用いて、帯状のプラス及びマイナスの電極箔を帯状のセパレータによって互いに絶縁状態で巻き取ることを特徴とする巻取方法。
【請求項９】
帯状のセパレータを長手方向に引き出す工程と、
前記引き出されたセパレータの長手方向中間の所定部分が、巻取軸のスリットにて巻取可能な状態に捕捉されるまで前記巻取軸を移動させた上で、該巻取軸を回転駆動する工程と、
前記巻取軸の両側に配設されたプラス及びマイナスの電極箔の各端部を前記巻取軸の方へとそれぞれ案内し、巻き込ませる工程と、
前記セパレータ、並びに、プラス及びマイナスの電極箔をそれぞれ所定長巻き取った後、それらをそれぞれ切断する工程と
を備え、前記プラス及びマイナスの電極箔を前記セパレータによって互いに絶縁状態で巻き取る巻取方法であって、
少なくとも前記巻取軸の回転駆動に先だって前記セパレータが引き出される工程に際し、該セパレータの先端部分側が吸引機構による引き出し方向下流側への吸引によって引き出されるようにし、該引き出しに際しては、吸引機構が前記巻芯軸よりも引き出し方向上流側に移動して吸引を開始し、その後、前記巻芯軸よりも引き出し方向下流側に移動して引き出し方向下流側への吸引を継続するようにし、かつ、
前記巻取軸を回転駆動させる工程においても、前記セパレータの先端部分側が引っぱられるよう前記引き出し方向下流側への吸引を継続するようにしたことを特徴とする巻取方法。
【請求項１０】
前記巻取軸の回転駆動に先だって前記セパレータが引き出される工程に際し、該セパレータの吸引に併せて、該セパレータを前記吸引側へ繰り出すよう構成したことを特徴とする請求項９に記載の巻取方法。
【発明の詳細な説明】
【０００１】
【発明の属する技術分野】
本発明は、コンデンサ素子等の巻取技術に係り、例えば、電解コンデンサの製造に際し、一対の電極箔をセパレータによって互いに絶縁状態で巻き取ってコンデンサ素子に仕上げるための巻取装置及び巻取方法を含む技術分野に属するものである。
【０００２】
【従来の技術】
従来、電解コンデンサ素子の巻取装置として、例えば特開昭６３−３０１５１５号公報に記載されたものがある。かかる技術においては、セパレータの一端が引出装置（チャック）によって把持されて長手方向に引き出される。また、引き出されたセパレータの略中央部に対してスリットを有する巻取軸が突出させられ、これにより、セパレータがスリットにて捕捉されることとなる。一方、巻取軸の両側に配設された一対の電極箔搬送装置（チャック）によって、マイナス及びプラスの電極箔の各一端が前記巻取軸の方へと搬送、案内される。そして、巻取軸が回転させられることで、前記セパレータ及び一対の電極箔が所定長さまで巻き取られる。このとき、一対の電極箔は、セパレータによって互いに絶縁状態で巻き取られることとなる。その後、電極箔が切断され、セパレータが切断され、さらにテープ等で外周が固定されることで、図６に示すような電解コンデンサ素子３０が得られる。かかる電解コンデンサ素子３０は、その後、巻取軸２から取り外される。なお、図７に示すように、マイナス及びプラス電極箔１３，１４には所定間隔毎にリード線１５がかしめ固定されており、得られる電解コンデンサ素子３０にはマイナス電極箔１３及びプラス電極箔１４にそれぞれ対応したリード線１５が１本ずつ巻き込まれることとなる。
【０００３】
【発明が解決しようとする課題】
ところが、上記技術では次に記すような問題があった。すなわち、セパレータは、チャックによって、その一端が把持されて長手方向に引き出される構成となっている。かかるチャックは、カム或いはリンク機構にて機械的に作動させられるものである。このような構成下においては、電解コンデンサ素子の素子径を大きくしようとした場合、セパレータも長く引き出す必要がある。しかし、チャックを機械的な動作で引き出す場合には、その長さにも自ずと限界がある。しかも、セパレータは、一般には紙で構成されている場合が多く、所定速度以上で引き出そうとすると、セパレータが切断してしまうおそれもある。つまり、上記機械的動作による引き出しでは、上記技術では、タクトスピードを上げることが困難であった。
【０００４】
本発明は、上記各事情に鑑みてなされたものであり、素子径の増大に確実に対処することができ、しかも、タクトスピードの向上を図ることの可能な巻取装置及び巻取方法を提供することを主たる目的の一つとしている。
【０００５】
【課題を解決するための手段及びその効果】
上記目的を達成し得る特徴的手段について以下に説明する。また、各手段につき、特徴的な作用及び効果を必要に応じて記載する。
【０００６】
手段１．帯状のプラス及びマイナスの電極箔を帯状のセパレータによって互いに絶縁状態で巻き取るための巻取装置であって、前記セパレータを長手方向に引き出し可能な引出手段と、回転可能に支持され、前記引出手段にて引き出された前記セパレータの長手方向中間の所定部分を捕捉した上で巻取を行うための巻取軸と、前記プラス及びマイナスの電極箔の各端部を前記巻取軸の方へと案内するための電極箔案内手段とを備え、前記引出手段は、少なくとも前記セパレータの巻取開始に先だって、前記セパレータの先端部分側を吸引によって引き出し可能な吸引機構を有することを特徴とする巻取装置。
【０００７】
手段１によれば、帯状のセパレータが引出手段によって長手方向に引き出される。また、引出手段にて引き出されたセパレータの長手方向中間の所定部分が巻取軸にて捕捉された上で、巻取軸が回転され、これによりセパレータの巻取が行われる。また、帯状のプラス及びマイナスの電極箔の各端部が、それぞれ電極箔案内手段によって前記巻取軸の方へと案内され、各端部が巻き込まれることでプラス及びマイナスの電極箔がセパレータによって互いに絶縁状態で巻き取られる。さて、手段１では、引出手段は吸引機構を有しており、該吸引機構の吸引によって、少なくとも前記セパレータの巻取開始に先だって、セパレータの先端部分側が引き出される。このため、チャックにより把持されたセパレータが機械的動作によって引き出される従来技術に比べて、セパレータを破断させることなく高速で引き出すことができる。また、巻取に使用されるセパレータの長さが増大した場合でも、つまり、素子径を増大させるというニーズに対しても容易にかつ確実に対応することが可能となる。
【０００８】
なお、「捕捉」とあるのは、把持、挟持等により捕捉する場合の外、巻取軸に形成された溝等にセパレータを相対案内せしめるような場合も含まれる。すなわち、巻取軸の回転によって巻取可能な状態となっていれば「捕捉」たりうる。
【０００９】
手段２．前記巻取軸が、前記セパレータの引き出しに際して該引き出しを阻害しない待機状態と、前記セパレータの巻取に際して前記所定部分を捕捉する巻取可能状態とをとりうるよう構成したことを特徴とする手段１に記載の巻取装置。
【００１０】
手段２によれば、前記セパレータの引き出しに際しては、巻取軸が、待機状態をとりうるため、前記引き出しが阻害されることがない。
【００１１】
手段３．手段１又は２に記載の巻取装置において、さらに、前記セパレータが所定長巻き取られてから該セパレータを切断するためのセパレータ切断手段と、前記プラス及びマイナスの電極箔が所定長巻き取られてから該電極箔をそれぞれ切断するための電極箔切断手段とを設けたことを特徴とする巻取装置。
【００１２】
手段３によれば、前記セパレータが所定長巻き取られてから、該セパレータがセパレータ切断手段によって切断される。また、プラス及びマイナスの電極箔が所定長巻き取られてから該電極箔が電極箔切断手段によってそれぞれ切断される。
【００１３】
手段４．前記引出手段は、さらに、前記セパレータの巻取開始に先だって行われる吸引に際し、該セパレータを前記吸引機構側へ繰り出すための繰り出し機構を備えていることを特徴とする手段１乃至３のいずれかに記載の巻取装置。
【００１４】
手段４によれば、引出手段は、さらに、繰り出し機構を備えており、該繰り出し機構によって、前記セパレータの巻取開始に先だって行われる吸引に際し、該セパレータが前記吸引機構側へ繰り出される。すなわち、繰り出しと協同して吸引が行われることとなり、その後の巻取作業が円滑、かつ、確実に行われることとなる。
【００１５】
手段５．前記繰り出し機構は、前記セパレータを挟む位置において回転駆動可能に配設され、前記繰り出し時には接触方向に相対移動させられ、非繰り出し時には離間方向に相対移動させられるよう構成された一対のローラによって構成されていることを特徴とする手段４に記載の巻取装置。
【００１６】
手段５によれば、前記繰り出し機構がセパレータを挟む位置において回転駆動可能に配設された一対のローラによって構成される。そして、前記繰り出し時にはローラが接触方向に相対移動させられることから、予め定めた長さ分の繰り出しを確実に行うことができる。また、非繰り出し時にはローラが離間方向に相対移動させられることから、巻取等の作業に支障を来すことがない。なお、一対のローラについては、一方のローラのみが他方のローラに対して移動させられるようになっていてもよいし、双方のローラとも移動させられるようになっていてもよい。
【００１７】
手段６．前記吸引機構は、前記巻取軸の回転による前記セパレータの巻取中においても、前記セパレータの先端部分側が吸引によって引っぱられるよう構成されていることを特徴とする手段１乃至５のいずれかに記載の巻取装置。
【００１８】
手段６によれば、巻取軸の回転によるセパレータの巻取中においても、前記セパレータの先端部分側が、吸引機構の吸引によって引っぱられる。このため、巻取の最中において、セパレータに対し吸引による張力が付与されることとなり、安定した巻取を行うことができる。なお、これ以外にも別途セパレータに張力を付与するための張力付与手段（例えばセパレータを所定の弾性力をもって挟持することの可能な押さえ板等）を設けてもよい。
【００１９】
手段７．前記巻取軸の近傍には、前記吸引機構によって吸引されている前記セパレータの幅方向の位置ずれを規制するための位置ずれ規制手段を設けたことを特徴とする手段１乃至６のいずれかに記載の巻取装置。
【００２０】
手段７によれば、巻取軸の近傍に設けられた位置ずれ規制手段によって、吸引機構にて吸引されているセパレータの幅方向の位置ずれが規制される。このため、巻取時の幅方向のずれを生じにくくすることができ、巻取の安定化を図ることができる。
【００２１】
手段８．前記プラス及びマイナスの電極箔はアルミニウムによって構成され、かつ、両電極箔には長手方向に所定間隔を隔ててリード線が取着されていることを特徴とする手段１乃至７のいずれかに記載のアルミニウム電解コンデンサ素子用巻取装置。
【００２２】
手段８によれば、アルミニウム電解コンデンサ素子を製造するべく巻取を行う場合に、上記各手段１乃至７のいずれかに対応した作用効果が奏される。
【００２３】
手段９．手段１乃至８のいずれかに記載の巻取装置を用いて、帯状のプラス及びマイナスの電極箔を帯状のセパレータによって互いに絶縁状態で巻き取ることを特徴とする巻取方法。
【００２４】
手段９によれば、帯状のプラス及びマイナスの電極箔を帯状のセパレータによって互いに絶縁状態で巻き取る場合に、上述した各作用効果が奏される。
【００２５】
手段１０．帯状のセパレータを長手方向に引き出す工程と、前記引き出されたセパレータの長手方向中間の所定部分が、巻取軸のスリットにて巻取可能な状態に捕捉されるまで前記巻取軸を移動させた上で、該巻取軸を回転駆動する工程と、前記巻取軸の両側に配設されたプラス及びマイナスの電極箔の各端部を前記巻取軸の方へとそれぞれ案内し、巻き込ませる工程と、前記セパレータ、並びに、プラス及びマイナスの電極箔をそれぞれ所定長巻き取った後、それらをそれぞれ切断する工程とを備え、前記プラス及びマイナスの電極箔を前記セパレータによって互いに絶縁状態で巻き取る巻取方法であって、少なくとも前記巻取軸の回転駆動に先だって前記セパレータが引き出される工程に際し、該セパレータの先端部分側が吸引によって引き出されるようにしたことを特徴とする巻取方法。
【００２６】
手段１０によれば、まず帯状のセパレータが長手方向に引き出される。その引き出されたセパレータの長手方向中間の所定部分が、スリットにて巻取可能な状態に捕捉されるまで巻取軸が移動させられる。その上で、該巻取軸が回転駆動させられることで、巻取軸にセパレータが巻き取られる。また、巻取軸の両側に配設されたプラス及びマイナスの電極箔の各端部が、巻取軸の方へとそれぞれ案内され巻き込まれる。これにより、プラス及びマイナスの電極箔が前記セパレータによって互いに絶縁された状態で巻き取られる。そして、セパレータ、並びに、プラス及びマイナスの電極箔がそれぞれ所定長巻き取られた後、それらがそれぞれ切断される。さて、本手段では、少なくとも巻取軸の回転駆動に先だってセパレータが引き出される工程に際し、該セパレータの先端部分側が吸引によって引き出される。このため、チャックにより把持されたセパレータが機械的動作によって引き出される従来技術に比べて、セパレータを破断させることなく高速で引き出すことができる。また、巻取に使用されるセパレータの長さが増大した場合でも、つまり、素子径を増大させるというニーズに対しても容易にかつ確実に対応することが可能となる。
【００２７】
手段１１．前記巻取軸の回転駆動に先だって前記セパレータが引き出される工程に際し、該セパレータの吸引に併せて、該セパレータを前記吸引側へ繰り出すよう構成したことを特徴とする手段１０に記載の巻取方法。
【００２８】
手段１１によれば、巻取軸の回転駆動に先だってセパレータが引き出される工程に際し、該セパレータの吸引に併せて、該セパレータが吸引側へ繰り出される。このため、繰り出しと協同して吸引が行われることとなり、その後の巻取作業が円滑、かつ、確実に行われることとなる。
【００２９】
手段１２．前記巻取軸を回転駆動させる工程においても、前記セパレータの先端部分側が引っぱられるよう前記吸引を継続するようにしたことを特徴とする手段１０又は１１に記載の巻取方法。
【００３０】
手段１２によれば、巻取軸が回転駆動される工程、つまり、少なくともセパレータが巻き取られる工程においても、該セパレータの先端部分側が引っぱられるよう吸引が継続される。従って、巻取の最中において、セパレータに対し吸引による張力が付与されることとなり、安定した巻取を行うことができる。なお、これ以外にも別途セパレータに張力を付与するようにしてもよい（例えばセパレータを押さえ板等を用いて所定の弾性力をもって挟持する等）。
【００３１】
手段１３．前記プラス及びマイナスの電極箔はアルミニウムによって構成され、かつ、両電極箔には長手方向に所定間隔を隔ててリード線が取着されていることを特徴とする手段１０乃至１２のいずれかに記載のアルミニウム電解コンデンサ素子用巻取方法。
【００３２】
手段１３によれば、アルミニウム電解コンデンサ素子を製造するべく巻取を行う場合に、上記各手段１０乃至１２のいずれかに対応した作用効果が奏される。
【００３３】
【発明の実施の形態】
以下、一実施の形態について、図１乃至図６を参照しつつ説明する。
【００３４】
図１に示すように、巻取装置１は、図示しないサーボモータにより回転可能に支持された巻取軸２を備えている。該巻取軸２は、略円柱状をなし、中央にはスリット３が形成されている（図６参照）。また、巻取軸２は、図１の紙面と直交する方向に出没可能となっており、非巻取時には没入状態、巻取時には突出状態をとるようになっている。なお、巻取軸２は、図示しないインデックスによって旋回移動可能となっており、同図に実線で示すような巻取位置と、所定量旋回移動したテープ貼付位置（図のα位置）との間を移動可能となっている。
【００３５】
上記巻取軸２には、図の斜め上方から帯状のセパレータ４が供給されるようになっている。すなわち、帯状のセパレータ４は、絶縁紙よりなり、最上流側においてロール状に巻回されている。ロール状に巻回されたセパレータ４の引出し端側は、所定の張力を付与するための図示しない段差ローラに掛装されており、さらにその段差ローラの下流側において引出手段、繰り出し機構を構成する繰り出しローラ５に案内されている。
【００３６】
繰り出しローラ５は、セパレータ４を挟むようにして上下対となって配設されており、該ローラ５の表面にはセパレータ４との間に所定の摩擦力が生じるようゴムライニングが施されている。該繰り出しローラ５のうち、上部のローラは、図示しないサーボモータによって回転駆動されるようになっている。また、繰り出しローラ５の上部のローラは、アーム６にて支持されており、該アーム６は図示しないカム機構によって動作可能となっている。つまり、上部のローラが適宜移動させられることで、一対の繰り出しローラ５は、互いに接触した状態、及び、互いに離間した状態をそれぞれとることができるようになっている（もちろん、上下のローラともに移動可能となっていてもよい）。
【００３７】
セパレータ４の引き出し経路、つまり、図中の繰り出しローラ５から左斜め下方へと延びる経路に沿って、繰り出しローラ５の下流側には、セパレータ支持台７が固定されている。また、セパレータ支持台７の下流側端部においては、該支持台７上面と直交する方向に移動可能なセパレータ切断手段を構成するセパレータカッター８が設置されている。
【００３８】
セパレータ４の引き出し経路は、丁度前記巻取軸２の位置をほぼ通過するよう構成されており、さらにその下流側においては、引出手段、吸引機構を構成するセパレータ吸引ガイド９が設けられている。セパレータ吸引ガイド９は、筒状をなし、下流側から図示しない吸引装置によってエアー吸引が行われるよう構成されている。また、セパレータ吸引ガイド９は、その長手方向に移動可能となっている。つまり、図２に示すように、セパレータ吸引ガイド９は同図実線に示すような定位置と、同図２点鎖線で示すような取り込み位置との間を移動することができるようになっている。
【００３９】
セパレータ吸引ガイド９が定位置にある場合において、該セパレータ吸引ガイド９先端と巻取軸２との中間位置には、セパレータ４を支持するための位置ずれ規制手段としてのセパレータガイド１１が設けられている。該セパレータガイド１１は、セパレータ４の幅方向のずれを規制（位置決め）するためのものであって、図１に示すレール１２に沿ってスライド可能となっている。さらに、セパレータ吸引ガイド９の先端には、押さえ板１０が取付けられている。この押さえ板１０は、巻取時において、自身と前記セパレータガイド１１とにより、セパレータ４をある程度の弾性応力をもって挟むことで所定の張力を付与するためのものである。
【００４０】
また、図１において、前記巻取軸２の左右両側方には、マイナス電極箔１３及びプラス電極箔１４をそれぞれ巻取軸２の方に案内するための機構が設けられている。すなわち、同図において、巻取軸２の左側には、帯状のマイナス電極箔１３が設けられ、巻取軸２の右側には、帯状のプラス電極箔１４が設けられている。両電極箔１３，１４は、共にアルミニウムによって構成されている。また、両電極箔１３，１４には、その長手方向に所定間隔を隔ててリード線１５がかしめ固定されている（図７参照）。
【００４１】
前記マイナス電極箔１３の移送経路の途中には、該マイナス電極箔１３を挟持してその先端を前記巻取軸２の方へ案内するための電極箔案内手段を構成するマイナス箔用チャック１６が設けられている。さらに、マイナス箔用チャック１６と巻取軸２との間には、マイナス箔支持台１７及び電極箔切断手段を構成するマイナス箔用カッター１８が設けられている。併せて、マイナス電極箔１８の移送経路の途中には、前記リード線１５を検出するためのマイナスリードセンサ１９が設けられている。該マイナスリードセンサ１９は、光ファイバセンサによって構成され、マイナス電極箔１３の移送経路に沿って適宜スライド可能となっているとともに、そのときどきの素子径等の巻取条件に応じて適宜位置調整が行われるようになっている。
【００４２】
同様に、前記プラス電極箔１４の移送経路の途中には、該プラス電極箔１４を挟持してその先端を前記巻取軸２の方へ案内するための電極箔案内手段を構成するプラス箔用チャック２１が設けられている。また、プラス箔用チャック２１と巻取軸２との間には、プラス箔支持台２２及び電極箔切断手段を構成するプラス箔用カッター２３が設けられている。併せて、プラス電極箔１４の移送経路の途中には、前記リード線１５を検出するための光ファイバセンサよりなるプラスリードセンサ２４が設けられている。該プラスリードセンサ２４もまた、そのときどきの素子径等の巻取条件に応じて適宜位置調整が行われるようになっている。
【００４３】
次に、上記のように構成されてなる巻取装置１を用いた巻取手法について説明する。
【００４４】
まず、図３に示すように、セパレータ吸引ガイド９をセパレータ支持台７の方まで移動させ（同図２点鎖線参照）、セパレータ４の先端を吸引可能な状態とする。但し、この時点では、一対の繰り出しローラ５は接触状態にあり、かつ、回転駆動させられていないため、セパレータ４は吸引されない。
【００４５】
次に、繰り出しローラ５を回転駆動させ、セパレータ４を予め定められた所定量だけ繰り出す。この所定量は、例えば３００ｍｍとか４００ｍｍといった具合に素子径に応じて適宜設定される。かかる繰り出しに伴い、その繰り出されたセパレータ４が先端側から前記セパレータ吸引ガイド４により吸引されることとなる。なお、この繰り出しに際しては巻取軸２が没入状態（図２の実線に示す状態）にあり、巻取軸２によって吸引が阻害されてしまうことがない。
【００４６】
続いて、同図実線で示すようにセパレータ吸引ガイド９を元の定位置まで移動させる。なお、この移動を前記繰り出しとともに行うこととしてもよい。そして、繰り出し量が所定量に達したならば前記繰り出しローラ５の回転駆動を停止させる。その後、セパレータガイド１１を同図２点鎖線で示すように上昇させる。これにより、セパレータ４の幅方向両側がセパレータガイド１１によって挟まれることとなり、幅方向の位置ずれが規制される。
【００４７】
次に、それまで没入状態にあった巻取軸２を突出させる（図２の２点鎖線参照）。すると、この時点において、巻取軸２のスリット３は、セパレータ４の引き出し経路と対応する方向を向けられており、該スリット３内に前記セパレータ４の所定部分たる長手方向略中間部分が入り込む格好となる。換言すれば、セパレータ４が巻取可能な状態でスリット３にて捕捉されることとなる。
【００４８】
また、このとき、前記カム機構によってアーム６が作動させられ、図４に示すように、繰り出しローラ５の上部のローラが離間する位置へと移動させられる。これとともに、巻取軸２の回転駆動を開始する。この回転によって、セパレータ４の巻取が開始させられる。なお、このとき、繰り出しローラ５の下部のローラはガイドローラとしての役割を果たすこととなる。
【００４９】
次に、マイナス箔用チャック１６でマイナス電極箔１３を把持し、巻取軸２の方へと移動させる。すると、マイナス電極箔１３の先端が回転中の巻取軸２へ案内され巻き込まれはじめる。また、巻き込み開始と同時に前記マイナス箔用チャック１６を開くことで、以降、マイナス電極箔１３が巻き取られることとなる。
【００５０】
一方、マイナス電極箔１３が巻き込まれてから巻取軸２が１８０゜回転した後、プラス箔用チャック２１でプラス電極箔１４を把持し、巻取軸２の方へと移動させる。すると、プラス電極箔１４の先端が回転中の巻取軸２へ案内され巻き込まれはじめる。また、巻き込み開始と同時に前記プラス箔用チャック２１を開くことで、以降、プラス電極箔１４が巻き取られることとなる。さらに、上記のように両電極箔１３，１４の巻取開始タイミングを調整することで、マイナス及びプラス電極箔１３，１４の先端が揃えられる。
【００５１】
その後、所定時間前記巻取軸２を回転駆動させることで、セパレータ４並びにマイナス及びプラス電極箔１３，１４が巻き取られ、その巻取径が増大してゆく。但し、かかる巻取の最中においてもセパレータ吸引ガイド９での吸引は継続させられる。これにより、前記押さえ板１０の作用も相まって、巻取軸２よりも下流側のセパレータ４に所定の張力が付与され、もって安定した巻取が行われることとなる。そして、プラスリードセンサ２４によってプラス電極箔１４に取着されたリード線１５が検出されたならば、前記巻取軸２の回転駆動を一旦停止させ、これと同時に、プラス電極箔１４を把持すべくプラス箔用チャック２１を閉じる。なお、検出されるリード線１５は次回の巻取において巻き取られるプラス電極箔１４に対応するものであって、本実施の形態では位置検出の目印として利用されるものである。
【００５２】
続いて、再度アーム６を駆動させて繰り出しローラ５を接触状態とし、この状態で移動不能状態にあるプラス電極箔１４及びセパレータ４に対し、プラス箔用カッター２３及びセパレータカッター８を作動させ、切断を施す。
【００５３】
プラス電極箔１４及びセパレータ４が切断された後、再度巻取軸２を回転させ、マイナス電極箔１３の補正巻取を行う。そして、マイナスリードセンサ１９によってマイナス電極箔１３に取着されたリード線１５が検出されたならば、前記巻取軸２の回転駆動を再度停止させ、これと同時に、マイナス電極箔１３を把持すべくマイナス箔用チャック１６を閉じる。なお、ここで検出されるリード線１５も次回の巻取において巻き取られるマイナス電極箔１３に対応するものであって、位置検出の目印として利用されるものである。そして、移動不能状態にあるマイナス電極箔１３に対し、マイナス箔用カッター１８を作動させ、切断を施す。
【００５４】
その後、巻取軸２は、図示しないインデックスによってテープ貼付位置まで旋回移動させられ、そこで外周部分にテープが貼付けられる。これにより、図６に示すような電解コンデンサ素子３０が得られることとなる。該電解コンデンサ素子３０は、巻取軸２が没入することによって該巻取軸２から取り外され、その後巻取軸２は再度巻取位置の方へと旋回移動させられる。以上の一連の工程を経ることで、巻取作業が完了する。
【００５５】
以上詳述したように、本実施の形態によれば、セパレータ４の巻取開始に先だって、セパレータ吸引ガイド９からの吸引によって、該セパレータ４の先端部分側を引き出すこととした。また、このとき、繰り出しローラ５によって、セパレータ４がセパレータ吸引ガイド９の方へ繰り出されることとした。すなわち、繰り出しと協同して吸引が行われることとした。このため、その後の巻取作業が円滑、かつ、確実に行われることとなる。また、チャックにより把持されたセパレータが機械的動作によって引き出される従来技術に比べて、セパレータ４を破断させることなく高速で引き出すことができる。また、巻取に使用されるセパレータ４の長さが増大した場合でも、つまり、素子径を増大させるというニーズに対しても容易にかつ確実に対応することが可能となる。
【００５６】
また、本実施の形態では、巻取軸２の回転によるセパレータ４の巻取中においても、セパレータ４の先端部分側が、セパレータ吸引ガイド９からの吸引によって引っぱられる。このため、巻取の最中において、前記押さえ板１０による弾性力の作用とも相まって、セパレータ４に対し吸引による張力が付与されることとなる。その結果、安定した巻取を行うことができる。
【００５７】
尚、上述した実施の形態の記載内容に限定されることなく、例えば次のように実施してもよい。
【００５８】
（ａ）上記実施の形態では、セパレータ４の巻取中においてもセパレータ吸引ガイド９からの吸引を継続することとした。これに対し、引き出し時のみ吸引を行うようにして、巻取中は吸引を停止させることとしてもよい（但し、参考例）。
【００５９】
（ｂ）上記実施の形態では、マイナスリードセンサ１９、プラスリードセンサ２４によって、各電極箔１３，１４に取着されたリード線を検出し、この検出をもって巻取終了のきっかけとなるようにした。これに対し、別の手法で巻取終了のタイミングを制御することとしてもよい。例えば、電極箔１３，１４に透孔等のマーキングを施しておき、光電管等でそのマーキングを検出することを必要条件に巻取を終了させることとしてもよい。
【００６０】
（ｃ）上記実施の形態においてはセパレータ４を絶縁紙にて構成することとしたが、他の絶縁素材（例えば樹脂製フィルム、不織布等）で構成してもよい。また、両電極箔１３，１４についても、アルミニウム以外の他の素材を用いることとしてもよい。
【００６１】
（ｄ）上記実施の形態では、電解コンデンサ素子３０を製造するための巻取装置１に具体化することとしたが、他の巻取装置（例えば電池用巻取装置等）に具体化することも可能である。
【００６２】
（ｅ）各電極箔１３，１４の案内のタイミング、各電極箔１３，１４及びセパレータ４の切断のタイミングは上記実施の形態に記載のものに何ら限定されるものではない。従って、例えばプラス電極箔１４をマイナス電極箔１３よりも先に案内させることとしてもよいし、また、マイナス電極箔１３をプラス電極箔１４よりも先に切断することとしてもよい。
【００６３】
（ｆ）マイナス箔用チャック１６、プラス箔用チャック２１に代えて、ローラにてマイナス電極箔１３、プラス電極箔１４をそれぞれ案内するような構成としてもよい。
【図面の簡単な説明】
【図１】一実施の形態に係る巻取装置の全体構成を示す概略側面図である。
【図２】巻取装置のうち、セパレータに関連する主要部分を示す概略平面図である。
【図３】巻取工程を説明するための巻取装置の概略図である。
【図４】巻取工程を説明するための巻取装置の概略図である。
【図５】巻取工程を説明するための巻取装置の概略図である。
【図６】巻取により得られた電解コンデンサ素子等を示す側面図である。
【図７】リード線の取着された電極箔の構成を説明する斜視図である。
【符号の説明】
１…巻取装置、２…巻取軸、３…スリット、４…セパレータ、５…引出手段、繰り出し機構を構成する繰り出しローラ、８…セパレータ切断手段を構成するセパレータカッター、９…引出手段、吸引機構を構成するセパレータ吸引ガイド、１１…位置ずれ規制手段を構成するセパレータガイド、１３…マイナス電極箔、１４…プラス電極箔、１５…リード線、１６…電極箔案内手段を構成するマイナス箔用チャック、１８…電極箔切断手段を構成するマイナス箔用カッター、２１…電極箔案内手段を構成するプラス箔用チャック、２３…電極箔切断手段を構成するプラス箔用カッター、３０…電解コンデンサ素子。
【図１】
0004101451.tif 000002
【図２】
0004101451.tif 000003
【図３】
0004101451.tif 000004
【図４】
0004101451.tif 000005
【図５】
0004101451.tif 000006
【図６】
0004101451.tif 000007
【図７】
0004101451.tif 000008